【事件の表示】
　上記当事者間の登録第４７７６７１２号商標の商標登録無効審判事件について、次のとおり審決する。
【結　論】
　登録第４７７６７１２号の登録を無効とする。
　審判費用は被請求人の負担とする。
【理　由】
第１　本件商標
　本件登録第４７７６７１２号商標（以下「本件商標」という。）は、別掲１のとおりの構成よりなり、平成１５年１０月６日に登録出願、第３６類「クレジットカード利用者に代わってする支払い代金の清算，資金の貸付け及び手形の割引，損害保険契約の締結の代理，預金の受入れ（債券の発行により代える場合を含む。）及び定期積金の受入れ，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，割賦購入のあっせん，前払式証票の発行，ガス料金又は電気料金の徴収の代行，有価証券の売買・有価証券指数等先物取引・有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，生命保険契約の締結の媒介，生命保険の引受け，損害保険に係る損害の査定，損害保険の引受け，保険料率の算出，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，骨董品の評価，美術品の評価，宝玉の評価，中古自動車の評価，企業の信用に関する調査，慈善のための募金，紙幣・硬貨計算機の貸与，現金支払機・現金自動預け払い機の貸与」を指定役務として、同１６年４月２０日に登録査定がなされ、同年６月４日に設定登録されたものである。
　
第２　請求人の主張
　請求人は、結論同旨の審決を求め、その理由を要旨次のように述べ、証拠方法として甲第１号証ないし甲第１３５号証を提出した。
１　無効理由について
　本件商標は、商標法第４条第１項第１０号、同第１５号、同第８号、同第１９号及び同第１１号に該当するから、商標法第４６条第１項の規定によりその登録を無効とすべきである。
２　請求人及び請求人の商標について
（１）請求人について
　請求人は、米国内で１８１２年に設立されて以来１９７年の歴史を持ち、日本及びアジア各国でも１００年以上の歴史を持つ、米国大手銀行Ｃｉｔｉｂａｎｋ　Ｎ．Ａ．の持株会社である。
　請求人の前身にあたる「Ｆｉｒｓｔ　Ｎａｔｉｏｎａｌ　Ｃｉｔｙ　Ｃｏｒｐｏｒａｔｉｏｎ」は、その名称を「Ｃｉｔｉｃｏｒｐ」に変更した。
　商標「ＣＩＴＩ」は、その名称変更のために、１９７４年に請求人により創造され、採択された、請求人に固有の商標であり、請求人は、それ以来約３５年間、「ＣＩＴＩ」をハウスマークとして、また「ＣＩＴＩ」を語頭に含む商標を各種役務の商標として金融等サービスに使用してきた。その結果、「ＣＩＴＩ」は請求人の商標として、また略称として著名になっている。
　１９９３年にはクレジットカード・チャージカードの発行数が世界第１位になり、１９９６年にはアジアでの発行数も第１位になった。
　１９９７年には米国銀行総資産ランキング２位（３，１０８億ドル）だった。
　１９９８年に、Ｃｉｔｉｃｏｒｐと大手保険会社Ｔｒａｖｅｌｅｒｓ　Ｇｒｏｕｐが合併し、最大の金融コングロマリットとなった。
　２０００年には１３０億ドルの収益を上げ、総資産は９，０２２億ドル（米国１位）となり、２００１年の時価総額が世界１位（２，３６１億ドル）など、企業全体でも、また各事業分野においても１位又は上位の業績を誇る企業になった。
　ちなみに、ＣｉｔｉｃｏｒｐとＴｒａｖｅｌｅｒｓ　Ｇｒｏｕｐの合併当時の米国では、銀行と証券の分離が法律により定められていたが、両社の合併の動きを受けて、新しい法律（グラム・リーチ・ブライリ一法）が成立し、前の法律（グラス・スティーガル法）が無効になった程である。このように、ＣｉｔｉｃｏｒｐとＴｒａｖｅｌｅｒｓ　Ｇｒｏｕｐの合併は、大恐慌直後から長年続いていた法律を改正させ、米国金融界の再編成を促すほど、米国内に大きな影響を与えた（甲第３８号証）。
　請求人は、甲第４号証からも明らかなように、本件商標が登録出願された２００３年には既に世界１００か国において支社・支店・営業所を持っていた。また、１９９８年の合併以降、請求人は、世界各国で、合併・買収・合弁を繰り返し、事業を世界的規模で拡張した（甲第３号証）。
　請求人は、その子会社であるＣｉｔｉｂａｎｋ　Ｊａｐａｎを中心に日本での業務を展開してきた。Ｃｉｔｉｂａｎｋ　Ｊａｐａｎの日本進出の歴史は非常に古く、１９０２年には横浜支店を、１９２３年には東京支店を開業した。１９７３年Ｆｉｒｓｔ　Ｎａｔｉｏｎａｌ　Ｃｉｔｙ　Ｃｏｒｐｏｒａｔｉｏｎの株式を東京証券取引所に上場した。１９７７年にはクレジットカード業務を行う、シティカードジャパン株式会社を設立した（甲第８号証等）。
　Ｃｉｔｉｂａｎｋ　Ｊａｐａｎは次の独自のサービスを展開することにより、日本の需要者・取引者の間で広く浸透していった（甲第２３号証ないし甲第３９号証）。
・クレジットカード業務開始（１９８６年）・第一勧業銀行とＣＤオンライン提携（１９８８年）・テレホンバンキングサービス「シティホンバンキング」（１９８８年）・ＢＡＮＣＳ（都銀のＡＴＭ）とオンライン提携（１９９０年）・インターナショナル・キャッシュカードＣｉｔｉｃａｒｄ発行（１９９１年）・２４時間ＡＴＭ支払いサービス開始（１９９３年）・海外両替カード「ワールドキャッシュ」発売（１９９３年）・２４時間ＡＴＭ手数料無料（１９９４年）・シティホンバンキングの２４時間サービス開始（１９９４年）・ノースウェスト航空との提携クレジットカード「ノースウェスト／シティーバンクカード」発行（１９９５年）・地方銀行とＣＤオンライン提携（１９９６年）・トラベラーズチェック発行手数料無料化（１９９７年）・インターネットバンキング「シティダイレクト」開始（１９９８年）・郵便局のＡＴＭとオンライン提携（預け入れも可能）（１９９９年）・日興ビーンズヘ資本参加（１９９９年）・ｉモードサービス開始（１９９９年）・静岡銀行とプライベートバンク業務で提携（１９９９年）・アソシエイツ・ファースト・キャピタル・コーポレーションを傘下・法人向けインターネットでの海外送金開始（２００１年）・ダイナースクラブを傘下におさめる（２０００年）・郵便口座との相互電信送金サービス開始（２０００年）・法人向けインターネット送金開始（２００１年）・三井住友海上火災保険と合弁で会社設立（２００２年）等
　上記以外にも、信託との提携、他社との提携などを積極的に進め、日本での業務を順調に展開した。
　日本における事業の規模等は、１９９２年には、日本国内で１２店舗を擁し、従業員は関連会社を含めて１，４００人であった。関連会社は７社あった（甲第２３号証）。
　１９９３年には、国内で２１店舗を擁し、個人取引を伸ばした。
　１９９７年には雑誌「ｍｏｎｅｙ　Ｊａｐａｎ」でＣｉｔｉｂａｎｋの特集記事が組まれた（甲第２６号証）。
　１９９７年３月末のＣｉｔｉｂａｎｋ在日支店の資産は２兆５７１０億８７００万円、利益は５３億６４００万円であった。預金総額は９３０４億円であった（甲第２７号証）。
　１９９８年度のＣｉｔｉｂａｎｋ　Ｊａｐａｎの事業概要は、提供業務がシティバンキング、カード、プライベートバンク、コーポレートファイナンス、トランザクションサービス、トレーディングアンドキャピタルマーケット、支店が２１店舗、従業者数が１，２６４名、ＡＴＭ設置場所が４５カ所等である（甲第５号証）。
　２００３年末のＣｉｔｉｂａｎｋ　Ｊａｐａｎの預金残高は２兆８７００万円、口座数が約８２万口座、支店２５店舗、ＡＴＭ９４台、従業員が１，３４３名であった。関連会社は１２社で、消費者金融業のＣＦＪ株式会社の支店数は２００３年１０月３０日現在で７３７、営業所数が３７６、双方で１，１１３であった。支店内の自動ローン機２０８機を加えると総計１，３２１となる（甲第９号証ないし第１２号証）。
（２）請求人の商標「ＣＩＴＩ」及び「ＣＩＴＩ」を含む商標について
　「ＣＩＴＩ」は、英語などの辞書に載っていない造語である。請求人の前身であるＣｉｔｉｃｏｒｐ及びその子会社であるＣｉｔｉｂａｎｋ　Ｎ．Ａ．が１９７４（昭和４９年）に商標として、独自に創造された創造標である。
　創造標は、当該造語の創造により初めて商標となり得るものであるので、第三者が商標として採用する機会は殆どない。造語の中でも、既成の単語や熟語をランダムに組み合わせることによってできる造語と、既成の単語には存在しない新規な造語があり、新規な造語の方が、第三者により採用される可能性は低いと同時に、その造語自体の識別力も強いということは経験則上明らかである。例えば、「ＳＯＮＹ」などがこれに該当する。「ＣＩＴＩ」も、既存の単語には見られない、新規に創造された語である。このことは、全類を通じて「ＣＩＴＩ」を登録しているのは請求人だけであることからも明らかである。そして、「ＣＩＴＩ」は４文字中１つおきに「Ｉ」が出てくるという綴りに大きな特徴があり、強く印象に残るものである。
　英語圏の米国の裁判例でも、「ＣＩＴＩ」は本来的に識別力のある語であり、本来的に保護されるべきであるとされている。
　以上のことから、「ＣＩＴＩ」が創造標であり、本来的に強い識別力を持っていることは明白である。
（３）「ＣＩＴＩ」の使用実績
　「ＣＩＴＩ」は前述のとおり、請求人の前身であるＣｉｔｉｃｏｒｐの冠部分として１９７４年（昭和４９年）に採用された。続く１９７６年（昭和５１年）に、「ＣＩＴＩ」は請求人の子会社であるＣｉｔｉｂａｎｋ　Ｎ．Ａ．の営業表示の冠部分となった。１９９８年以降は、請求人と米国大手保険・証券会社Ｔｒａｖｅｌｅｒｓ　Ｇｒｏｕｐとの合併により誕生した世界最大の金融会社シティグループ（Ｃｉｔｉｇｒｏｕｐ）、すなわち請求人が、「ＣＩＴＩ」を引き継いだ。このように、「ＣＩＴＩ」は請求人（前身）のコーポレートマーク（社標）として創造されてから、３５年にわたり継続して使用されてきた。
　請求人の前身であるＣｉｔｉｃｏｒｐは、「ＣＩＴＩ」を強いブランドにすべく努力を続けており、世界的に統一した方法で「ＣＩＴＩ」を使用してきた。その風土は、合併後のＣｉｔｉｇｒｏｕｐ、即ち請求人にも引き継がれ、「ＣＩＴＩ」を「ＳＯＮＹ」「ＣＯＫＥ」「ＮＩＫＥ」に並ぶ世界有数の４文字ブランドにすることを戦略として、統一的かつ戦略的に商標を使用してきた（甲第２１号証）。
　詳細は甲第３６号証のとおり、まずＴｒａｖｅｌｅｒｓ時代にブランド価値を確立した「ソロモン・スミス・バーニー」「トラベラーズ」「プライメリカ」を除くすべての業務が「ＣＩＴＩ」のブランドに集約された。コンシューマ向けのサービス「ＣＩＴＩ」と、企業・富裕者層向けの「Ｃｉｔｉｇｒｏｕｐ」に大別され、コンシューマ向けの「ＣＩＴＩ」は更に、銀行「Ｃｉｔｉｂａｎｋ」、消費者金融「Ｃｉｔｉ　Ｆｉｎａｎｃｉａｌ」、住宅ローン「Ｃｉｔｉ　ｍｏｒｔｇａｇｅ」、保険「Ｃｉｔｉ　ｉｎｓｕｒａｎｃｅ」に細分化されている。これらから提供されるサービス（金融商品）に、「ＣＩＴＩ」を含む商標を統一的に使用するという戦略がしかれた。シティグループは、自らを強力な金融サービス企業であり「安定性（資金力）、信頼性、グロバリティー」において強みがあると捉え、商標に「ＣＩＴＩ」があれば、その特性を需要者が追求できることを念頭に置いて、ブランド戦略を立て実践してきた。
　甲第４０号証として、諸外国における「ＣＩＴＩ」を使用したホームページの出力を提出する。国（地域）は、カナダ、フランス、ドイツ、グアム、香港、ハンガリー、英国、オーストラリア、ブルガリア、ベルギー、バーレーン、チェコ、エジプト、インドネシア、イスラエル、イタリア、韓国、マレーシア、ペルー、フィリピン、ポーランド、ロシア、シンガポール、スペイン、スリランカ、台湾、トルコ、ＵＡＥである。これは本件商標の登録出願前の２００３年２月７日に出力されたものである。甲第４１号証及び甲第４２号証は、米国及び北米での「ＣＩＴＩ」の使用事実を裏付けるものであり、請求人は、本件商標の登録出願前から各種金融サービスに「ＣＩＴＩ」を含む商標を世界各国で、同じコンセプトに基づいて使用していたことが明らかである。
　甲第４３号証は、２００７年に世界各国における広告であるが、請求人は継続して各国同じコンセプトで商標「ＣＩＴＩ」を使用していることが明らかである。
　請求人が宣伝広告にかけた費用は、以下のとおりである。
（１９９４年から２０００年）米国内での宣伝広告
　１９９４年３億８１００万ドル
　１９９５年３億９４００万ドル
　１９９６年３億３１００万ドル
　１９９７年３億５３００万ドル
　１９９８年６億６０００万ドル
　１９９９年７億１５００万ドル
　２０００年６億３００万ドル
（２００１年から２００５年）世界的な宣伝広告
　２００１年１６億ドル
　２００２年１６億ドル
　２００３年１８億ドル
　２００４年２５億ドル
　２００５年２５億ドル
　以上の使用実績から、１９９８年９月になされた米国（ニュージャージー）における裁判の判決（甲第１１０号証）の１４頁目に、著名なのは「ＣＩＴＩ」であって、それが単独であるか他の語の語頭に結合しているかを問わないと認定されている。また、２００１年１０月になされた米国（ニューヨーク）における裁判の判決（甲第１０９号証）では「ＣＩＴＩ」という商標群は、本来的に識別力を有しており、高度の保護を受けうるものであり、その本来的な識別力に加えて、広範な広告宣伝によって非常な識別力が備わっていることが認定されている。
　米国内では、１９８８年のアンケートにおいて米企業間で最も評価の高い外為銀行と評価された（甲第２１号証）。
　「ＣＩＴＩ」は２００７年にも２３４億ドルのブランド価値があるとして、金融部門では１位の、また全体では１１位のブランド価値の高い商標と評価された（甲第１１１号証）。
　以上のことから、「ＣＩＴＩ」は請求人の商標として米国内で及び国際的に著名であるとともに、業務上の信用を化体した価値が高いものであることは、疑う余地はない。
　日本でも、請求人又はＣｉｔｉｂａｎｋ　Ｊａｐａｎが「ＣＩＴＩ」及び以下の「ＣＩＴＩ」を語頭に含む商標を数多くの金融等サービス、金融等商品との関係で使用してきた（甲第２１号証、甲第２３号証ないし甲第３９号証、甲第４４号証ないし甲第９０号証）。
　なお、これらの使用において「ＣＩＴＩ」は常に大文字のみで使用されるわけではなく、「Ｃｉｔｉ」「ｃｉｔｉ」などの小文字も使われることもあるが、これらは社会通念上同一の範囲にあり、「ＣＩＴＩ」「Ｃｉｔｉ」「ｃｉｔｉ」の何れであっても、請求人又は請求人と関係のある者の出所に係る役務であることが認識されている。
　１９９８年のＴｒａｖｅｌｅｒｓ　Ｇｒｏｕｐとの合併により請求人は「Ｃｉｔｉｇｒｏｕｐ」となり、「ＣＩＴＩ」「ＣＩＴＩＢＡＮＫ」のロゴが変更された後の店舗は甲第９１号証のとおりであり、ここでも「ＣＩＴＩ」が顕著な態様で使用されている。
　宣伝広告も積極的に行っており、２００３年７月から８月のたった２ヶ月間だけでも、日経新聞、朝日新聞、読売新聞の３つ全国紙、毎日新聞、北海道新聞、中日新聞、西日本新聞の４つの安定した地位を誇る地方紙に広告が繰り返し掲載されている。その他、「Ｓｐｒｉｎｇ」「Ｔｉｔｌｅ」「Ｐｏｐｅｙｅ」「Ｔｏｋｙｏ　Ｗａｌｋｅｒ」など１０冊の雑誌に掲載された。銀座線、丸ノ内線などの営団全線、東急全線、大阪の地下鉄、阪急、名古屋・札幌・博多の地下鉄、西鉄の車両などにおける、ステッカー・ドア横・つり広告、駅広告を行っていた（甲第９２号証）。なお、甲第９２号証にみられる４Ｃ２Ｐとはフルカラーで２頁等の意味である。
　このような日本国内での宣伝広告にかけた費用は、１９９８年度２１億円、１９９９年度２８億円、２０００年度４１億円、２００１年度は３７億円、２００２年度の広告費は３８億円だった。
　一方、１９９０年、１９９４年の日本経済新聞社による「銀行・証券人気度調査」において、シティバンクが在日外国銀行の１位になった（甲第２１号証）１９９７年の同じ調査でも、シティバンクが２５３１ポイントを獲得して外国銀行の中で１位を獲得した。当該調査は、邦銀と外銀を分けてランク付けしているが、邦銀でシティバンクを上回るポイントを獲得したのは東京三菱銀行（２７７０ポイント）だけだったので（甲第２７号証）、実質日本で２位ということができる。１９９８年「日経マネー」による調査によると、消費者がこれから取引したい金融機関・運用会社の１位にＣｉｔｉｂａｎｋがなった。国内大手証券会社の野村證券を抑えての結果だった。請求人又はその子会社Ｃｉｔｉｂａｎｋの知名度は１９９０年代には既に確立されていたことになる。
　以上のように、請求人は、日本において、ユニークで需要者のニーズに応えた役務を提供し続け、それらの役務が需要者・取引者の間で広く受け入れられるとともに、巨大な資金力を背景に日本での業務を積極的に展開してきた。それらの役務との関係で、請求人は「ＣＩＴＩ」又は「ＣＩＴＩ」を語頭に配した商標を統一的に使用し、またそれらの商標の宣伝広告に努めた結果、本件商標の指定役務の需要者・取引者の間で、「ＣＩＴＩ」といえば、請求人の商標として認識されるに至っており、本件商標の登録出願時はもちろんのこと登録時においても、著名となっていた。
　なお、新聞記事を検索すると、請求人のことは「米シティ」または「シティ」と見出しなどで表されている（甲第１８号証ないし甲第２０号証）。これらのことから、「シティ」すなわち「ＣＩＴＩ」は請求人の略称として広く世間に知られているということができる。
　以上の事実から、「ＣＩＴＩ」は世界的に大金融企業である請求人及びそのグループ企業のコーポレートブランドであり並びに請求人の略称として、日本政府・経済界・メディア・一般消費者・富裕者層の間で広く知られていることは明らかである。よって、「ＣＩＴＩ」の文字が看取されれば、アメリカの巨大金融機関Ｃｉｔｉｇｒｏｕｐ等の業務に係る役務であると認識される。特に、金融等第３６類の役務との関係では、「ＣＩＴＩ」といえばＣｉｔｉｇｒｏｕｐ及びそのグループ企業を表示するものとして認識されることは、疑いのないところである。
（４）登録の実績
　請求人は「ＣＩＴＩ」又は「ＣＩＴＩ」を含む商標を使用することによって知名度を高めただけではなく、それらの殆どを登録することによって商標の保護に努めてきた。具体的には甲第１１２号証の計８８件の登録商標を提示する。
　なお、中には存続期間の満了により登録が抹消されているものがあるが、本件登録の出願時から登録時にかけては有効に存続していたことを申し添える。また念のため、請求人が今もなお登録により商標保護に継続して努力していることを示すために、本件登録の出願後に出願して登録された商標も提示する。
（５）異議申立事件・無効審判事件
　請求人は、単に商標「ＣＩＴＩ」又は「ＣＩＴＩ」を含む商標を使用し、それらを商標登録によって保護してきただけではなく、「ＣＩＴＩ」を含む商標登録出願又は商標登録に対して異議申立などを行い、登録を阻止することで、「ＣＩＴＩ」の出所表示力が稀釈されるのを防ぎ、「ＣＩＴＩ」の保護に努めてきた。具体的には以下のとおりである。
ア　被請求人に対するもの
　被請求人の商標登録出願及び商標登録に対して甲第１１３号証ないし甲第１１６号証の異議申立・無効審判の請求をした。
　これらの決定・審決から、「ＣＩＴＩ」が請求人の商標として著名であることが明確に特許庁によって認定されており、並びに第３６類の役務に「ＣＩＴＩＸ」が使用されれば、請求人の業務に係るものであるかのごとく役務の出所について誤認混同が生じるおそれがあることも認定されてもいる。
イ　第三者に対する異議申立（甲第１１７号証ないし甲第１１９号証）
　これらの決定で「ＣＩＴＩ」はシティグループ又はシティバンクの略称、或いは同銀行が使用する商標として著名であり、「ＣＩＴＩ」を含む商標もそれらのグループ企業が使用する商標であると需要者・取引者の間で広く知られており、商品・役務の出所について誤認・混同するおそれがあると認定されている。
ウ　以上の事から、少なくとも本件商標の登録出願前には「ＣＩＴＩ」又は「ＣＩＴＩ」を含む商標は請求人又は請求人の関連会社などが使用する商標として著名であり、「ＣＩＴＩ」を含む商標が使用されれば、役務の出所について混同が生じるおそれが高いことを、特許庁においても繰り返し認定されたことが明らかである。
３　商標法第４条第１項第１０号について
　本件商標の指定役務は、請求人の業務に係る役務、即ち、銀行・投資・証券・保険・消費者金融・信託等と同一又は類似である。
　本件商標は、片仮名「シティックスカード」を活字体で横書きにしたものを上段に、また、欧文字「ＣＩＴＩＸ ＣＡＲＤ」を二重線の活字体で横書きにしたものを下段に配置して構成されている。欧文字「ＣＩＴＩＸ ＣＡＲＤ」は、片仮名「シティックスカード」とは別の段に構成されている上に、片仮名「シティックスカード」に比べてかなり大きなフォントで、片仮名とは異なる、二重線による書体で書かれており、欧文字「ＣＩＴＩＸ ＣＡＲＤ」と片仮名「シティックスカード」を常に一体的に看取すべき理由はない。むしろ片仮名「シティックスカード」に比べ、外観上顕著な特徴を持つ「ＣＩＴＩＸ ＣＡＲＤ」が単独で自他役務識別標識として認識され得るというべきである。現実の取引で、被請求人のホームページや被請求人が発行するクレジットカードにおいて、本件商標の欧文字「ＣＩＴＩＸ ＣＡＲＤ」だけが単独で使用されている。かかる事実から、本件商標の片仮名「シティックスカード」と欧文字「ＣＩＴＩＸ ＣＡＲＤ」が常に一体的に使用されるものではないことが明らかである（甲第１２０号証）。
　欧文字「ＣＩＴＩＸ ＣＡＲＤ」は、一連で格別の意味合いを表す単語又は熟語ではないので、これを常に一連一体に認識すべき理由はない。
　また、「ＣＩＴＩＸ」と「ＣＡＲＤ」は、両者がスペースによって外観上分離されている上に、前者が辞書にないものであるのに対して、後者は「カード」を意味する平易な英語であるので、観念においてこれを一体として認識すべき理由はない。しかも、「ＣＡＲＤ」は、第３６類の役務との関係においては「クレジットカード、キャッシュカード、ＩＣカード」などの略称として使用されるものであるから、「ＣＡＲＤ」が無視され、「ＣＩＴＩＸ」の部分のみが注目を浴びる可能性が極めて高いというべきである。
　さらに、上記２で述べたとおり、「ＣＩＴＩＸ」の冒頭にある「ＣＩＴＩ」は、本件商標の指定役務との関係において、請求人の商標として、また請求人の略称として著名であるので、圧倒的に強い自他役務識別力を持ち、看る者の注意を強く惹く。これに対して、語尾の欧文字「Ｘ」は、単なる欧文字一字にすぎない。その上、欧文字「Ｘ」は、「Ｆｏｒｅｉｇｎ　Ｅｘｃｈａｎｇｅ」を「ＦＸ」、「Ｅｘｃｈａｎｇｅ　ｒａｔｅ」を「ＸＲ」、「Ｓｔｏｃｋ　Ｅｘｃｈａｎｇｅ」を「ＳＸ」、「Ｆｏｒｗａｒｄ　Ｅｘｃｈａｎｇｅ　Ａｇｒｅｅｍｅｎｔ」を「ＦＸＡ」の如く、「Ｅｘｃｈａｎｇｅ」（為替等）の略語として、しばしば金融・証券サービスなどとの関係で使用されるものであるため、識別力が弱いものである。したがって、「ＣＩＴＩ」と「Ｘ」の間には識別力において明らかな軽重の差がある。しかもそれが最も看者の注意を惹く語頭に位置する。これらを総合すると、本件商標の指定役務との関係で、「ＣＩＴＩＸ ＣＡＲＤ」中の「ＣＩＴＩ」が極めて高い識別力を持ち、需要者・取引者の注意を惹くことは明らかであり、よって、当該部分を手がかりに役務の出所が認識される可能性が高いことは明白である。
　以上のことから、本件商標からは、商標全体から看取される外観・観念・称呼の他に、欧文字部分「ＣＩＴＩＸ ＣＡＲＤ」から、外観において「ＣＩＴＩ」の部分が看取され、観念においては主要部ともいえる「ＣＩＴＩ」の文字部分に着目し、著名な「ＣＩＴＩ」の商標が容易に連想・想起され、「シティ」と称呼されるというべきである。
　一方、著名商標「ＣＩＴＩ」からは、著名商標「ＣＩＴＩ」が理解され、「シティ」と称呼される。
　以上のことを総合すると、本件商標が、請求人の業務に係る役務と同一又は類似の本件指定役務について使用された場合、役務の出所について誤認混同が生じるおそれがあることは明らかである。
　以上のとおり、本件商標は、請求人の著名な商標「ＣＩＴＩ」と同一又は類似であって、「ＣＩＴＩ」が使用されている請求人の役務と同一又は類似の役務について使用されるものであるので、本件商標は商標法第４条第１項第１０号に該当する。
４　商標法第４条第１項第１５号について
　「ＣＩＴＩ」又は「ＣＩＴＩ」を含む商標が請求人の商標として著名であることは、上記２で詳細に述べたとおりである。本件商標の指定役務は、請求人の業務に係る役務と全く同じ分野又は関連性が深い分野のものであり、本件商標には請求人の著名な商標「ＣＩＴＩ」を一部に含む。これらのことから、本件商標がその指定役務に使用されれば、請求人又は請求人と何らかの関係を有する者の業務に係るものであると、需要者・取引者に思わせ、その出所について誤認混同を生じさせるおそれがある。
　商標審査基準において「他人の業務に係る商品又は役務と混同を生ずるおそれがある商標」であるか否かの判断にあたっては、
（イ）その他人の標章の周知度
（ロ）その他人の標章が創造標章であるかどうか
（ハ）その他人の標章がハウスマークであるかどうか
（ニ）企業における多角経営の可能性
（ホ）商品間、役務間又は商品と役務の関連性
等を考慮するものとするとしており、（イ）の判断にあたっては、周知度が必ずしも全国的であることを要しないとされている（甲第１２１号証）。
　そこで、各項目について検討するが、商標「ＣＩＴＩ」又は「ＣＩＴＩ」を含む商標は、上記２で証明されているとおり、本件商標が登録出願された平成１５年（２００３年）１０月６日よりも遥か前に、請求人の商標として需要者・取引者の間で周知・著名だった。審査基準では、その周知・著名の範囲は、全国的であることを要しないとされているが、請求人の商標「ＣＩＴＩ」は日本全国のみならず、世界的にも著名なものだった。
　「ＣＩＴＩ」又は「ＣＩＴＩ」を含む商標が周知・著名であることは、異議事件・審判事件において特許庁によっても繰り返し認定されているところであり、特許庁においても顕著な事実である。
　「ＣＩＴＩ」は辞書にない、請求人が独自に創造した造語である。造語の中にも、辞書にある単語をランダムに組み合わせたにすぎない造語と、既存の単語にも存在しない新規な造語（例えば「ＳＯＮＹ」など）があり、新規な造語は滅多に創造されるものではないので、その造語の持つ識別力も本来的に強いことは経験則上明らかである。「ＳＯＮＹ」は後者の典型例である。「ＣＩＴＩ」も、請求人により新規に創造された造語であり、請求人に固有の創造標である。このことは、国際分類の全類を通じて「ＣＩＴＩ」を登録しているのが請求人だけであるという事実からも明らかである。よって、「ＣＩＴＩ」は本来的に識別力の強い商標ということができる。
　「ＣＩＴＩ」は、請求人及び請求人の関連企業が共通して使用するハウスマーク（コーポレートブランド）であることは、上記２で証明されているとおりである。更に、「ＣＩＴＩ」は、請求人及び請求人の関連会社が使用する商標の語頭に共通して用いられていることも、上記２で証明されているとおりである。
　請求人は、銀行・投資・証券・保険サービスなどを提供する複合的な金融会社としても世界で最大手のひとつに当たり、日本でもそれらの各種業務を行っており、既に多角化されている。
　本件商標の指定役務は、請求人の業務（銀行・投資・証券・保険・消費者金融・信託等のサービス）に係る役務と同じ又は関連性の深いものである。また請求人は、被請求人の業務と同じクレジットカード業務を、子会社シティカードジャパン株式会社を通じて日本国内で行っている。
　そして、本件商標は、「シティックスカード」の片仮名と「ＣＩＴＩＸ ＣＡＲＤ」の欧文字を上下二段に横書きしたものであるが、片仮名「シティックスカード」に比べて、欧文字「ＣＩＴＩＸ ＣＡＲＤ」は大きくかつ異なる書体で書かれていることから、これを常に一体のものとして把握すべき特段の理由はなく、むしろ「ＣＩＴＩＸ ＣＡＲＤ」が「シティックスカード」から分離して看取され得るものである。実際に、被請求人は取引において本件商標の「ＣＩＴＩＸ ＣＡＲＤ」欧文字部分を単独で使用している（甲第１２０号証）。
　かかる事実から、本件商標の欧文字「ＣＩＴＩＸ ＣＡＲＤ」は単独でも自他役務識別標識として機能し得るということができ、かつ被請求人自身も「ＣＩＴＩＸ ＣＡＲＤ」を単独の識別標識として使用する意図を持っていたと推認される。
　さらに、「ＣＩＴＩＸ」と「ＣＡＲＤ」は、スペースによって視覚上分離されている上に、一連一体で特定の語義を有するものではないので、これらを常に一体として認識すべき理由はない。加えて、「ＣＡＲＤ」は、「クレジットカード、キャッシュカード、ＩＣカード」などの略称として金融サービスにおいて使用されているものであり、識別力が弱いものである。
　当該欧文字「ＣＩＴＩＸ」は、全体で特定の意味合いを表す既成の単語・熟語ではなく、むしろ看る者の注意を最も惹く語頭部分に、請求人の著名な商標「ＣＩＴＩ」を有し、本件商標の指定役務との関係で著名な「ＣＩＴＩ」の商標を容易に理解・認識させる。よって、本件商標が本件商標の指定役務について使用されれば、請求人又はそれに関連する会社の業務に係るものであるものと役務の出所について混同が生じるおそれがある。
　さらに、商標審査基準において、「他人の著名な商標と他の文字又は図形等と結合した商標は、その外観構成がまとまりよく一体に表されているもの又は観念上の繋がりがあるものを含め、原則として、商品又は役務の出所の混同を生ずるおそれがあるものとして推認して、取り扱うものとする。」（平成１１年６月の周知・著名商標の保護などに関する審査基準の改正により追加）とされ、その例が挙げられている（甲第１２１号証）。
　裁判例としては、「ＩＬＡＮＣＥＬＩ」と「ＬＡＮＣＥＬ」（平成１１年（行ケ）第２１７号）、「ＯＫＩ　ＤＯＫＩ」と「ＯＫＩ」（平成１３年（行ケ）第５３９号）
　審決例としては、「セゾンドゥ」と「ＳＡＩＳＯＮ」（審判平１１-１７３１０）等、計９件ある。
　これらにおいて、それぞれ後者の著名商標と他の文字を一体的に表された前者商標が、当該著名商標とので出所の混同が生じるおそれがあるとして、商標法第４条第１項第１５号により拒絶、取消、無効にされている（甲第１２２号証ないし甲第１３２号証）。また、本件商標のように、著名商標に他の文字を加え、かつ全体から生じる片仮名を表記したところで、著名商標との出所の混同の可能性を免れないことは、「アルディオール／ＡＲＤＩＯＲ」や、「ルクサ／ＬＵＸＡＡ」、「ＬＵＸＵＬ／ラグジュール」の例からも明らかである。
　以上に加えて、請求人は、「ＣＩＴＩ」を単独で使用するだけではなく、「ＣＩＴＩ」を語頭部分に用いた商標を、請求人又はその関連会社の業務との関係において数多く使用している。具体的には「ＣＩＴＩ　ＴＲＡＶＥＬ　ＤＥＳＫ」「ＣＩＴＩ ＰＨＯＮＢＡＮＫＩＮＧ」などである。（詳細は上記２において述べた。）
　以上のことを総合すると、本件商標が、請求人の業務に係る役務と同じ又は関連性の深い分野に属する本件商標の指定役務について使用されれば、これに接した需要者・取引者は、その構成中の「ＣＩＴＩ」の文字部分に着目し、周知・著名な「ＣＩＴＩ」商標を容易に連想・想起するだけではなく、上述のような、請求人又は請求人の関連会社が使用する「ＣＩＴＩ」を語頭に配した一連の商標のひとつであるかの如く認識し、当該役務が請求人又は請求人と何らかの関係を有する者の業務に係るものであるかのように、役務の出所について混同するおそれがあることは明白である。
　そして、この混同の生ずるおそれは、本件商標の登録出願時はもとより、その登録査定時、更には現在に至るまで継続していることは明らかである。
　よって、本件商標は、商標法第４条第１項第１５号に該当する。
５　商標法第４条第１項第８号について
　本件商標に含まれる「ＣＩＴＩ」は、上記２で述べたとおり、本件商標の登録出願前には、請求人の略称として日本国内のみならず世界的に需要者・取引者の間で広く知られており、本件商標は請求人の承諾を得ずに登録されたものである。請求人又は請求人のグループ企業でもない被請求人に対して「ＣＩＴＩ」を含む本件商標が登録されたことにより、請求人の人格権を著しく害されている。よって、本件商標は商標法第４条第１項第８号に該当する。
　なお、同号に該当するとした裁判例、審判例がある（甲第１３３号証及び甲第１３４号証）。
６　商標法第４条第１項第１９号について
　「ＣＩＴＩ」は請求人固有の造語であり、請求人が長年にわたり世界的に使用してきた結果、請求人の商標として日本及び世界において需要者・取引者の間で広く知られている。
　本件商標は、その語頭部分に「ＣＩＴＩ」を含み、「Ｅｘｃｈａｎｇｅ」の略語としても使用される欧文字一字「Ｘ」を語尾に足したにすぎない欧文字部分「ＣＩＴＩＸ」を要部とし、それより商標「ＣＩＴＩ」の観念が容易に想起され、「シティ」とも称呼され得るので、請求人の商標として著名な「ＣＩＴＩ」と観念及び称呼において相紛らわしい、類似の商標である。
　被請求人には、今まで異議申立・無効審判により、商標法第４条第１項第１５号を理由に、出願が拒絶され、登録が無効にされた経験がある（甲第１１３号証ないし甲第１１６号証）。これらの経験を通じて、本件商標の登録出願時には、請求人の「ＣＩＴＩ」が請求人に固有の造語であり、請求人の商標として著名であることを、被請求人は当然に認識していたことは明白である。よって、被請求人が「ＣＩＴＩＸ　ＣＡＲＤ」を採用したことが単なる偶然の一致であるとは、到底認められない。
　また上記の事件を通じて、「ＣＩＴＩＸ ＣＡＲＤ」を金融サービス等との関係で使用すれば、請求人の業務に係る役務であるかの如く出所について誤認混同が生じる可能性が高いことを、被請求人は、十分に認識・理解していたことも明らかである。
　しかも、被請求人は請求人と無関係の業界にいるわけではなく、請求人と同じ業界で事業を行う競業者であるので、公正な競業秩序を保つために、役務の出所の誤認混同により請求人の利益を損なうことのないよう、努力すべき立場にある。
　そうであるにも拘わらず、登録第３２５５８９１号（審決注：登録第３２５８８９１号の記載は誤記と判断した。）について登録無効審決が確定したわずか６ヶ月後に、欧文字「ＣＩＴＩ」を含み、かつ、かつて異議申立により拒絶された、「ＣＩＴＩＸ ＣＡＲＤ」の書体の若干の変更、片仮名の追加という、商標の本質は変えない、軽度の変更を加えただけで、請求人と同じ業務にあたる第３６類の役務を指定して本件商標を登録出願して登録を得て、現実の取引では、片仮名を付けずに、欧文字「ＣＩＴＩＸ ＣＡＲＤ」だけを、ホームページやクレジットカードに使用している（甲第１２０号証）。
　以上の事実を総合すると、被請求人は、本来であれば請求人の競業者として出所の誤認混同を避けるべく努力する立場にあり、しかも、「ＣＩＴＩ」が請求人固有の造語からなる請求人の著名な商標であり、かつ「ＣＩＴＩＸ ＣＡＲＤ」が著名商標「ＣＩＴＩ」との間で出所の誤認混同が生じる可能性が高いことを十分に認識していたにも拘わらず、無効にされた「ＣＩＴＩＸ」を一部に含み、かつて異議申立により拒絶された、「ＣＩＴＩＸ ＣＡＲＤ」と同じ綴りからなる商標を回避しようともせずに、商標の態様に若干変えることで名目上の登録を得ておき、実際の取引では、片仮名を付けずに欧文字「ＣＩＴＩＸ ＣＡＲＤ」を単独で使用していることが明らかである。
　かかる事実から、被請求人による本件商標の採用は偶然の一致ではなく、著名商標「ＣＩＴＩ」と混同の可能性があることを知りつつ、「ＣＩＴＩＸ ＣＡＲＤ」をわずかな態様の変更により登録を得て、本件登録と異なる片仮名なしの態様で「ＣＩＴＩＸ ＣＡＲＤ」を使用することで、請求人の著名商標「ＣＩＴＩ」に化体した信用にただ乗りし、或いは請求人の商標「ＣＩＴＩ」の出所表示機能を稀釈する意図があったことは明らかである。よって、本件商標の登録は商標法の目的にかんがみ信義則に反するものであるといわざるを得ない。
　したがって、本件商標は、商標法第４条第１項第１９号に該当する。
７　商標法第４条第１項第１１号について
　請求人は、「Ｃｉｔｉｃａｒｄ」の文字を標準文字で表してなり、使用に基づく特例の適用を主張して平成４年９月３０日に登録出願、第３６類に属する商標登録原簿に記載のとおりの役務を指定役務として、同９年２月２４日に設定登録され、現に有効に存続している登録第３２６０５３６号商標（以下「引用商標」という。）を所有している（甲第１３５号証）。
　引用商標「Ｃｉｔｉｃａｒｄ」と「ＣＩＴＩＸ ＣＡＲＤ」は、「Ｃ」「Ｉ」「Ｔ」「Ｉ」「Ｃ」「Ａ」「Ｒ」「Ｄ」の８文字が共通し、目立たない中間部分に「Ｘ」の有無において相違するにすぎず、しかもその相違する部分は目立たない場所にある。しかも「ＣＩＴＩ」が著名であることを考慮すれば、本件商標の指定役務との関係において、両商標の間の相違である「Ｘ」の有無が見過ごされる可能性が高いものと思料する。
　よって、本件商標は、引用商標と外観において相紛らわしい類似の商標というべきであるから、商標法第４条第１項第１１号に該当する。
８　以上のとおり、本件商標は、商標法第４条第１項第１０号、同第１５号、同第８号、同第１９号及び同第１１号に該当することは明白であるので、同法第４６条第１項によりその登録を取り消されるべきである。
　
第３　被請求人の答弁
　被請求人は、本件請求は成り立たない、審判費用は請求人の負担とする、との審決を求める、と答弁し、その理由を要旨次のように述べ、証拠方法として、乙第１号証ないし乙第６８号証を提出した。
１　請求人は、甲第３号証ないし甲第１１１号証を提示して、「ＣＩＴＩ」が米国内及び国際的に著名であるとともに、業務上の信用を化体した価値が高いものである旨、主張している。
　しかしながら、仮にそうであるとしても、本件商標は、上記「ＣＩＴＩ」とは全く非類似の商標であって、出所の混同を生ずるおそれがないから、商標法第４条第１項第１０号、同第１５号、同第８号、同第１９号及び第１１号に該当するものではない。
（１）請求人は、甲第１１２号証を提示して、商標権者「シティバンク　エヌ　エイ」ないしは「シティグループ　インコーポレーテッド」が、「ＣＩＴＩ」ないしは「Ｃｉｔｉ」を含む多数の登録商標を有していると主張している。しかしながら、本件商標はこれらの登録商標とは明らかに非類似の商標である。
（２）請求人は、甲第１１３号証ないし甲第１１９号証、甲第１２２号証ないし甲第１３４号証を提示して、過去の異議決定例や審決例や判決例が請求人の主張の正当性を裏付けている旨主張している。
　しかしながら、これらの判決例等は、本件とは事案を異にするものであることから、同列に論じることはできない。したがって、これらは正当な論拠にはなり得ない。
（３）請求人は、甲第１２０号証を提示して、被請求人のホームページやクレジットカードでは本件商標の片仮名表示「シティックスカード」を付けずに、欧文字表示「ＣＩＴＩＸ ＣＡＲＤ」だけを使用していることを取り上げて、恰も被請求人が不正の目的をもって使用しているかのように主張している。
　しかしながら、先にも述べたように本件商標は前記「ＣＩＴＩ」とは全く非類似の商標であって、出所の混同を生ずるおそれがないことより、不正の目的で使用しているかのように主張すること自体失当である。
（４）請求人は、甲第１２１号証を提示して、商標審査基準（商標法第４条第１項第１５号）の「２．」において「他人の業務に係る商品又は役務と混同を生ずるおそれがある商標」であるか否かの判断にあたって考慮する項目が記載されており、各項目について検討しても本件商標が商標法第４条第１項第１５号に適合している旨主張している。
　しかしながら、甲第１２１号証に提示された商標審査基準には、他人の著名な商標を一部に有する商標については、商品又は役務の出所の混同を生ずるおそれがあるときを前提として、本号（１５号）の規定に該当する旨記載されている。そして、かかる前提となる出所の混同を生ずるおそれがないことは、先に述べたとおりである。したがって、本件商標は、商標法第４条第１項第１５号に適合しない。
（５）請求人は、甲第１３５号証を提示して、本件商標は引用商標に類似することから、商標法第４条第１項第１１号に該当する旨主張している。
　しかしながら、本件商標は、引用商標とは非類似の商標であって、商標法第４条第１項第１１号に該当するものではない。
２　商標法第４条第１項第１０号に該当するとの主張に対して
（１）本件商標は、請求人が主張する著名な「ＣＩＴＩＢＡＮＫ」等の略称として著名な「ＣＩＴＩ」と同一又は類似でないことから、商標法第４条第１項第１０号に該当しない。したがって、請求人の主張は失当である。
（２）本件商標は、上段に「シティックスカード」と同書・同形・同大にて片仮名で横書き表示し、下段に「ＣＩＴＩＸ ＣＡＲＤ」と同書・同形・同大にて欧文字で横書き表示して、上下二段書きしてなるものである。そして、下段の「ＣＩＴＩＸ ＣＡＲＤ」は、二重線による傾斜させた書体にて、上段の「シティックスカード」の二倍程度の大きさで表示している。また、下段の「ＣＩＴＩＸ ＣＡＲＤ」は、全体としてローマ字読みないしは平易に英語読みしても、よどみなく一連に「シティックスカード」と称呼することができる。
　そのため、かかる本件商標に接した取引者や需要者は、上段の片仮名表示「シティックスカード」が下段の欧文字表示「ＣＩＴＩＸ ＣＡＲＤ」の称呼であることを容易に認識することができる。したがって、本件商標において、上段の「シティックスカード」と下段の「ＣＩＴＩＸ ＣＡＲＤ」とは、表記形態が異なるだけで称呼を同じくする類似の商標とみるのが自然である。
　このように、本件商標の称呼は上段に片仮名表示した「シティックスカード」であり、本件商標の外観は前述したように上段の片仮名表示と下段の欧文字表示の二段表示であり、本件商標の観念は特定の意味合いを有しないものである。そして、本件商標はそれ自体が被請求人の創造に係る造語である。
　よって、本件商標「シティックスカード／ＣＩＴＩＸ ＣＡＲＤ」と「ＣＩＴＩ」とは称呼上、外観上、及び、観念上のいずれにおいても全く異なる商標であり、両者間に類似性は全くない。
（３）本件商標は、上記のように取引者や需要者に一体不可分に観察されて、一連に「シティックスカード」と称呼されるのが自然であり、取引者や需要者に本件商標の欧文字表示部分「ＣＩＴＩＸ ＣＡＲＤ」が「ＣＩＴＩＸ」と「ＣＡＲＤ」とに分離観察されるとみるのは不自然である。
　ここで、請求人は、本件商標の欧文字表示部分「ＣＩＴＩＸ ＣＡＲＤ」が「ＣＩＴＩＸ」と「ＣＡＲＤ」とに分離観察されるべき旨主張している。
　しかしながら、この点に関する請求人の主張は、商取引の現実を無視した解釈といえ、欧文字「ＣＩＴＩＸ ＣＡＲＤ」に接した取引者や需要者は、「シティックスカード」と容易に把握・認識することができて、「シティックスカード」と淀みなく称呼することができれば、それが冗長でない限り、スペースや観念的意味合い等を逐一考慮した上で、敢えて省略して称呼することはない。換言すれば、取引者や需要者は、商標そのものを細かく分析して認識することはなく、むしろ、称呼し易いように、認識し易いように把握して商取引を行うのが実情である。
　したがって、本件商標の欧文字「ＣＩＴＩＸ ＣＡＲＤ」は一体不可分に把握・認識されるものといえる。仮に、請求人が主張するように「ＣＩＴＩＸ」の部分のみが注目を浴びる可能性が極めて高いとしても、後述する（５）における理由から、「ＣＩＴＩＸ」と「ＣＩＴＩ」は非類似であることは明らかであり、出所の混同を生ずるおそれもない。
（４）特許庁における審査の実情をみてみると、欧文字「ＣＡＲＤ」の有無にすぎない商標同士である「○○○○ＣＡＲＤ」形態の商標と「○○○○」形態の商標とが、相互に非類似と判断されてそれぞれ登録されている例が多々ある。しかも、前述した請求人の商取引の現実を無視した主張に全て反する例も乙第１号証ないし乙第１２号証のように多々存在する。
　そして、これらの例は、全て第３６類の金融関連の役務を指定して登録されているものであり、また、「ＣＡＲＤ」の直前でスペースが形成されている例、前部が片仮名表示で後部が欧文字表示「ＣＡＲＤ」で構成されている例である。
　よって、前記したように「○○○○ＣＡＲＤ」形態の商標と「○○○○」形態の商標とが、相互に非類似と判断されてそれぞれ登録されている例が多々ある以上、請求人の主張は当を得ないものといえる。
（５）また、請求人は、「『ＣＩＴＩＸ』の冒頭にある『ＣＩＴＩ』は、本件商標の指定役務との関係において、請求人の商標として、また請求人の略称として著名であるから、圧倒的に強い自他役務識別力を持ち、看る者の注意を惹く。これに対して、語尾の欧文字『Ｘ』は、単なる欧文字の一字にすぎない。」のように主張している。
　しかしながら、本件商標は、先に述べたとおり、取引者や需要者に一体不可分に観察されて、一連に「シティックスカード」と称呼されるのが自然である。仮に、取引者や需要者に本件商標の欧文字表示部分「ＣＩＴＩＸ ＣＡＲＤ」から「ＣＩＴＩＸ」が分離抽出されることがあるとしても、この「ＣＩＴＩＸ」が「ＣＩＴＩ」と「Ｘ」に分離観察されるとみるのは非常に不合理がある。
ア　特許庁においては、末尾の欧文字「Ｘ」の有無にすぎない商標同士である「○○○○Ｘ」形態の商標と「○○○○」形態の商標とが、相互に非類似と判断されてそれぞれ登録されている例が多々ある。ここで、○は欧文字である。そして、「○○○○Ｘ」形態の商標で、末尾の欧文字「Ｘ」の直前の欧文字が、「Ａ」「Ｉ」「Ｕ」「Ｅ」「Ｏ」の母音である場合であって、その直前の欧文字が子音である場合には、それら３文字が一体的に一つの音節（子音＋母音＋「Ｘ」）を構成して称呼される。例えば、「Ｘ」の直前の母音が「Ｉ」で、その直前の子音が「Ｔ」の場合、つまり「ＴＩＸ」は「ティックス」と称呼される。このように、かかる形態の「○○○○Ｘ」商標では、後部の「○○Ｘ」の３文字が一体的に一つの音節を構成して、一体不可分に観察されると共に一連に称呼される。そのため、「○○○○」と「Ｘ」とに分離観察されることはない。その結果、末尾の欧文字「Ｘ」の有無にすぎない商標同士であっても、かかる場合には相互に非類似と判断されている。
イ　より具体的には、以下に、「○○○ＡＸ」と「○○○Ａ」、「○○○ＩＸ」と「○○○Ｔ」、「○○○ＵＸ」と「○○○Ｕ」、「○○○ＥＸ」と「○○○Ｅ」、及び、「○○○ＯＸ」と「○○○Ｏ」の各形態同士で、相互に非類似と判断されて登録されている例を乙第１３号証ないし乙第６６号証として提示する。
ウ　これらの例より、後部の音節構成が子音＋母音＋「Ｘ」の場合には、少なくともそれらは一体に観察されて一連に称呼される、と考えるのが合理的である。
　してみると、本件商標の「ＣＩＴＩＸ」は、「ＣＩ」＋「ＴＩＸ」からなる「シ」＋「ティックス」の２音節から構成されると考えるのが自然である。そして、「シ」＋「ティックス」の２音節は分離して称呼する必然性（冗長性等）がないことから、「シティックス」と一連に称呼されるとみるのが自然である。
　かかる観点からすると、本件商標の「ＣＩＴＩＸ」を「ＣＩＴＩ」と「Ｘ」に分離観察するのは、不自然で非常に不合理がある。したがって、欧文字部分「ＣＩＴＩＸ」から、外観において「ＣＩＴＩ」の部分が看取される旨の請求人の主張は不当といえる。
エ　ここで、請求人は、欧文字部分「ＣＩＴＩＸ」から、外観において「ＣＩＴＩ」の部分が看取され、観念においては主要部ともいえる「ＣＩＴＩ」の文字部分に着目し、著名な「ＣＩＴＩ」の商標が容易に連想・想起され、「シティ」と称呼されるというべきである、と主張している。
　しかしながら、本件商標は、前述したように「ＣＩＴＩＸ ＣＡＲＤ」の上にルビ的に「シティックスカード」と表示したものであり、「ＣＩＴＩＸ ＣＡＲＤ」は、全体としてローマ字読みないしは平易に英語読みしても、よどみなく一連に「シティックスカード」と称呼することができる。してみると、本件商標に接した取引者や需要者は、分析的に「ＣＩＴＩ」を分離・抽出して「シティ」と称呼することはないと考えるのが自然である。
　仮に、請求人が主張するように、「ＣＩＴＩ」が著名な「ＣＩＴＩＢＡＮＫ」等の略称として著名であるとしても、略称は欧文字表示の「ＣＩＴＩ」であり、決して「シティ」という称呼ではない。
　更には、片仮名表示の「シティ」は著名商標として認識されるものではなく、使用されても直ちに「ＣＩＴＩＢＡＮＫ」を想起させるものではない。
オ　この点については、「ＣＩＴＩ」に関する判決例（乙第６７号証）から明らかである。
　すなわち、乙第６７号証は、登録商標「ＣＩＴＹスーパーステップ」が、シティバンクの業務に係る役務と混同を生ずるおそれのある商標とは認められなかった事例を示す商標登録取消決定取消請求事件である（東京高裁平成１０年（行ケ）第３２１号）。
　この判例のように、仮に、請求人の主張するように「ＣＩＴＩ」が著名な「ＣＩＴＩＢＡＮＫ」等の略称として著名であるとしても、略称は「ＣＩＴＩ」であって「シティ」という称呼ではない。そして、片仮名表示の「シティ」は著名商標として認識されるものではなく、使用されても直ちに「ＣＩＴＩＢＡＮＫ」を想起させるものではない。
　したがって、「シティックスカード」と「ＣＩＴＩＸ ＣＡＲＤ」が二段表記された本件商標は、「ＣＩＴＩ」（略称としての「ＣＩＴＩ」）と非類似の商標である。
（６）また、上記した片仮名表示の「シティ」が著名商標として認識されるものではない点の根拠としては、被請求人が有する登録第３３４０３９６号商標（商公平７−５１６５７）がある。かかる登録商標は、「シティックスカード」と片仮名表記して、本件商標と同じ役務を一部に有するものである。そして、かかる登録商標「シティックスカード」は、請求人から異議申立を受けたものの登録となり、現在登録商標として有効に存続している。
　すなわち、本件商標「ＣＩＴＩＸ ＣＡＲＤ」の称呼表記たる「シティックスカード」は、全体として一体と認識され、把握されるものであり、表記構成中の「シティ」の文字部分のみを独立して認識すべき特段の事情は何等見出し得ない。
　したがって、この点からも「シティックスカード」と「ＣＩＴＩＸ ＣＡＲＤ」が二段表記された本件商標は、「ＣＩＴＩ」（略称としての「ＣＩＴＩ」）と非類似の商標である。
（７）さらにまた、請求人は、次のように主張している。すなわち、「欧文字『Ｘ』は、『Ｆｏｒｅｉｇｎ　Ｅｘｃｈａｎｇｅ』を『ＦＸ』、『Ｅｘｃｈａｎｇｅ　ｒａｔｅ』を『ＸＲ』、『Ｓｔｏｃｋ　Ｅｘｃｈａｎｇｅ』を『ＳＸ』、『Ｆｏｒｗａｒｄ　Ｅｘｃｈａｎｇｅ　Ａｇｒｅｅｍｅｎｔ』を『ＦＸＡ』の如く、『Ｅｘｃｈａｎｇｅ』（為替等）の略語として、しばしば金融・証券サービスなどとの関係で使用されるものであるため、識別力が弱いものである。したがって、『ＣＩＴＩ』と『Ｘ』の間には識別力において明らかな軽重の差がある。」
　しかしながら、かかる請求人の主張には無理がある。すなわち、「Ｆｏｒｅｉｇｎ　Ｅｘｃｈａｎｇｅ」を「ＦＸ」、「Ｅｘｃｈａｎｇｅ　ｒａｔｅ」を「ＸＲ」、「Ｓｔｏｃｋ　Ｅｘｃｈａｎｇｅ」を「ＳＸ」、「Ｆｏｒｗａｒｄ　Ｅｘｃｈａｎｇｅ　Ａｇｒｅｅｍｅｎｔ」を「ＦＸＡ」のように、全体を略語として欧文字２文字ないしは３文字で簡略化して表示する場合に「Ｅｘｃｈａｎｇｅ」（為替等）の略語として「Ｘ」が使用されることがあるとしても、単に「Ｅｘｃｈａｎｇｅ」（為替等）の略語として使用される場合には、「Ｘ」の一文字ではなく、「ＥＸ」が使用されると考えるのが自然である。したがって、「Ｘ」の一文字を単に商標要部の末尾に同書・同形・同大に付して使用されることはないと思われる。
　ここで、登録商標「ＣＲＥＤＩＴＥＸ」（登録第４５８９３３０号；乙第６８号証）を例示する。かかる登録商標「ＣＲＥＤＩＴＥＸ」は、本件商標と同様に第３６類の役務（資金の貸付け及び手形の割引、内国為替取引等）を指定して登録されている。請求人の主張に従うと、上記登録商標「ＣＲＥＤＩＴＥＸ」は、「ＣＲＥＤＩＴ」と「ＥＸ」との間には識別力において明らかな軽重の差があるので、「ＣＲＥＤＩＴ」と「ＥＸ」に容易に分離観察されることになる。ところで、「ＣＲＥＤＩＴ」は信用貸し等の意味を有する平易な英語で、日本語でもクレジットと片仮名表示されている。また、「ＥＸ」は請求人が主張する「Ｅｘｃｈａｎｇｅ」（為替等）の略語とみなすことができる。そうであるならば、「ＣＲＥＤＩＴＥＸ」は特別顕著性を有しないことになり、登録されていることに疑義が生じる。
　しかしながら、「ＣＲＥＤＩＴＥＸ」を一体不可分とみなして、「クレディテックス」ないしは「クレジテックス」と一連に称呼されるものと考えると、それ自体造語とみなすことができて、特別顕著性を有する商標であるが故に登録されたことが容易に理解できる。この場合も、「ＣＲＥＤＩＴＥＸ」が先に例示した「○○○○ＥＸ」形態の商標であるから、「ＣＲＥＤＩ」と「ＴＥＸ」の音節、すなわち、「クレディ」＋「テックス」ないしは「クレジ」＋「テックス」の音節からなると把握・認識することができて、「クレディテックス」ないしは「クレジテックス」と一連に称呼されるものとみなすことができる。
　かかる観点からも、翻って本件商標の「ＣＩＴＩＸ」は「○○○○ＩＸ」形態の商標で、一体不可分とみなして、「シティックス」と一連に称呼されるものである。
　したがって、請求人の主張、すなわち、末尾の「Ｘ」を「Ｅｘｃｈａｎｇｅ」（為替等）の略語と捉えることで、「ＣＩＴＩ」と「Ｘ」との間には識別力において明らかな軽重の差がある、との請求人の主張には非常に無理がある。
（８）翻って、本件商標を観察すると、本件商標「ＣＩＴＩＸ ＣＡＲＤ」は、各欧文字表記「Ｃ」「Ｉ」「Ｔ」「Ｉ」「Ｘ」「Ｃ」「Ａ」「Ｒ」「Ｄ」を二重線にして表記して、その上に「シティックスカード」と片仮名表記していることから、取引者や需要者は「シティックスカード」と自然に称呼することができることは前述のとおりである。そして、かかる一連の「シティックスカード」の称呼にともなって本件商標「ＣＩＴＩＸ ＣＡＲＤ」も外観上一体不可分の表記として把握・認識される。
　特に「ＣＩＴＩＸ ＣＡＲＤ」の文字は、同書・同形・同大をもって外観上は一体不可分にまとまって表記されていることを勘案すれば、「ＣＩＴＩ」の文字部分を独立して認識することは全くなく、本件商標の「ＣＩＴＩＸ ＣＡＲＤ」と「ＣＩＴＩ」は相互に非類似であることより、これらの間では、同時に使用されても役務の誤認混同を生起することはあり得ない。
（９）また、請求人は、甲第１２０号証を提示して、本件商標の欧文字「ＣＩＴＩＸ ＣＡＲＤ」だけが単独で使用されていることを指摘している。そして、かかる事実から、本件商標の片仮名「シティックスカード」と欧文字「ＣＩＴＩＸ ＣＡＲＤ」が常に一体的に使用されるものではないことが明らかである、と主張している。
　しかしながら、本件商標の「ＣＩＴＩＸ ＣＡＲＤ」は、先に例示した「○○○○ ＣＡＲＤ」形態の商標であって、かつ、「○○○○ＩＸ」形態の商標であることから、単独で使用した場合にも「シティックスカード」と一連に称呼されて、一体不可分に把握・認識されるとみるのが合理的である。
（１０）以上より、本件商標は、商標法第４条第１項第１０号には該当しない。
３　商標法第４条第１項第１５号について
（１）本件商標は、前記２（２）で述べたように、構成各文字は、外観上まとまりよく一体に表現されていて、片仮名表示部分が欧文字表示部分の読みを特定したものとみても不自然ではなく、しかも、全体をもって称呼してもよどみなく一連に称呼できるものである。
　そして、本件商標の構成中の「ＣＩＴＩ」の文字部分が引用商標「ＣＩＴＩ」と同一であるとしても、かかる構成においては、これに接した需要者・取引者が、請求人又は請求人の関連会社が使用する引用商標「ＣＩＴＩ」を直ちに連想・想起して、役務の出所について混同するものともいい難いところである。
　むしろ、本件商標は、構成全体をもって一体不可分の一種の造語よりなるものと把握され、認識されるとみるのが自然である。
　そうすると、本件商標は、「シティクスカード」の一連の称呼のみを生じ、既成の親しまれた観念を有しないものといわなければならない。
（２）上記した本件商標に対して、請求人は、「ＣＩＴＩ」が著名な略称である旨の証拠を甲第３号証ないし甲第１１１号証として提示している。しかしながら、仮に「ＣＩＴＩ」が著名な略称としても、「シティ」とのみ称呼されるともいい難いから、取引者や需要者間における浸透度は「ＣＩＴＩＢＡＮＫ」に比較すると低いものといわざるを得ない。
　しかも、本件商標は、前述のとおり一体不可分に看取されるものであって、上記２（３）及び（４）で詳述したように、一体不可分に看取されるものであって、仮に本件商標から「ＣＩＴＩＸ」分離観察されたとしても、上記２（５）アないしウで詳述したように、「ＣＩＴＩＸ」は、「○○○○ＩＸ」形態の商標で「ＣＩ」＋「ＴＩＸ」の音節を構成することから、「ＣＩＴＩ」の文字部分は全体に埋没している。そのため、請求人が主張する取引実情等を考慮したとしても、本件商標は、殊更に「ＣＩＴＩ」の文字部分のみを分離抽出して観察されるものではない。したがって、本件商標は、「ＣＩＴＩ」とは類似することのない別異の商標である。
（３）これより、本件商標をその指定役務について使用しても、これに接する取引者や需要者が、その構成中の「ＣＩＴＩ」の文字部分に注目して、「ＣＩＴＩ」を連想・想起することはないというべきである。したがって、本件商標に係る指定役務が請求人又は請求人と経済的・組織的に何らかの関係を有する者の業務に係る役務であるかのように、その出所について混同を生ずるおそれがないと考えるのが相当である。
（４）以上より、本件商標は、商標法第４条第１項第１５号には該当しない。
４　商標法第４条第１項第８号について
（１）請求人は、被請求人に対して「ＣＩＴＩ」を含む本件商標が登録されたことで、請求人の人格が著しく害されていることから、商標法第４条第１項第８号に該当すると主張している。
　そして、上記規定に該当する法的根拠として、甲第１３３号証の判決例と甲第１３４号証の審決例を提示している。
　しかしながら、これらの判決例と審決例は、本件の場合と事案を異にするものであることから、同列に論じることはできない。したがって、これらは正当な論拠にはなり得ない。
（２）本件の場合、本件商標は、上記２（５）アないしウで詳述したように、「○○○○ＩＸ」形態の商標で「ＣＩ」＋「ＴＩＸ」の音節を構成することから、「ＣＩＴＩＸ」を「ＣＩＴＩ」と「Ｘ」に分離観察すること自体に無理がある。むしろ、本件商標に接した取引者や需要者は「ＣＩＴＩＸ ＣＡＲＤ」と一体不可分に看取するとみるのが自然である。したがって、仮に、請求人の主張するとおり「ＣＩＴＩ」が著名な略称であるとしても、本件商標「ＣＩＴＩＸ ＣＡＲＤ」から「ＣＩＴＩ」の文字部分を独立して認識する特段の事情は何もない。
　このように、上記した判決例と審決例は、本件の場合と事案を異にするものであって、同列に論じることはできないものである。結局、これらは請求人が主張する法的根拠とはなり得ない。
（３）以上より、本件商標は、商標法第４条第１項第８号に該当しない。
５　商標法第４条第１項第１９号について
（1）請求人は、被請求人が「ＣＩＴＩＸ ＣＡＲＤ」を使用することで、請求人の著名商標「ＣＩＴＩ」に化体した信用にただ乗りし、或いは請求人の商標「ＣＩＴＩ」の出所表示機能を希釈する意図があったことは明らかで、本件登録は商標法の目的にかんがみ信義則に反するものであると言わざるを得ないことから、本件商標の登録は商標法商標法第４条第１項第１９号に該当すると主張している。
（２）しかしながら、かかる請求人の主張は、「ＣＩＴＩ」が請求人固有の造語であると主張するように、「ＣＩＴＩＸ ＣＡＲＤ」は被請求人固有の造語である。
　ここで、請求人は、本件商標がその語頭部分に「ＣＩＴＩ」を含み、「Ｅｘｃｈａｎｇｅ」の略語としても使用される欧文字一字「Ｘ」を語尾に足したにすぎない欧文字部分「ＣＩＴＩＸ」を要部とし、それより商標「ＣＩＴＩ」の観念が容易に想起され、「シティ」とも称呼され得るので、請求人の商標として著名な「ＣＩＴＩ」と観念及び称呼において相紛らわしい、類似の商標である、と主張している。かかる主張は、我田引水の主張である。
（３）そもそも、本件商標は、先に出願（平成４年９月２６日）して登録（平成９年８月１５日）された「シティックスカード」（登録第３３４０３９６号商標）の欧文字表示版として出願し、登録されたものである。
　そして、本件商標は、基本的に「シティックスカード」を欧文字表示化する上で、平易で称呼し易い表示を考慮して「ＣＩＴＩＸ ＣＡＲＤ」を採択した次第である。
　この際、本件商標は、上記２（５）アないしウで詳述したように、「○○○○ＩＸ」形態の商標で「ＣＩ」＋「ＴＩＸ」の音節を構成することで、本件商標に接した取引者や需要者が無理なく一体不可分に把握・認識することができるようにした。そして、本件商標は、「ＣＩＴＩＸ ＣＡＲＤ」の称呼を特定させるために、二重線による傾斜させた書体の「ＣＩＴＩＸ ＣＡＲＤ」の上に、ルビ的に小さめに表示した「シティックスカード」を配置して構成した。請求人が主張するように「ＣＩＴＩ」の語尾に「Ｘ」を足したにすぎないものでは到底ない。
（４）本件商標を創造・採択した経緯は上記のとおりであり、本件商標は、前記３で述べたように、出所の混同を生ずるおそれがない。ましてや「ＣＩＴＩ」の名声・信用・評判にフリーライドするものではなく、また、「ＣＩＴＩ」の出所表示機能を希釈化するものでもない。結局、本件商標の登録出願は信義則に反する不正目的によるものではない。
（５）以上より、本件商標は、商標法第４条第１項第１９号には該当しない。
６　商標法第４条第１項第１１号について
（１）請求人は、本件商標が請求人の所有する引用商標（登録第３２６０５３６号商標）と外観において相紛らわしい類似の商標というべきで、本件商標は商標法第４条第１項第１１号に該当すると主張している。
　しかしながら、かかる主張には非常に無理がある。
（２）すなわち、請求人は、引用商標「Ｃｉｔｉｃａｒｄ」と本件商標「ＣＩＴＩＸ ＣＡＲＤ」とでは「Ｘ」の有無において相違するにすぎず、かかる「Ｘ」が見過ごされる可能性が高いことから、両者は類似する商標であると主張している。
　しかしながら、請求人の先の主張によれば、「○○○○ＣＡＲＤ」形態の商標は「ＣＡＲＤ」が無視されて、「○○○○」の部分が認識される。そうであるならば、本件商標の場合、「ＣＩＴＩＸ」が認識されることになる。この場合「Ｘ」は末尾に位置している。翻って請求人の主張を確認すると「目立たない中間部分に『Ｘ』の有無において相違するにすぎず」と述べている。してみると、認識の違いで「Ｘ」の位置が中間部分から末尾に変わることとなる。このような請求人の曖昧な主張には合理性がない。
（３）基本的に、本件商標の欧文字「ＣＩＴＩＸ ＣＡＲＤ」は、上記２（３）及び（４）で詳述したように、一体不可分に把握・認識されるものといえる。仮に、請求人が主張するように本件商標中の「ＣＩＴＩＸ」の部分のみが分離抽出されるとしても、上記２（５）アないしウで詳述したように、「ＣＩＴＩＸ」と「ＣＩＴＩ」とは非類似であることは明らかである。すなわち、本件商標中の「ＣＩＴＩＸ」は、上記２（５）アないしウで詳述した「○○○○ＩＸ」形態に属して、「ＣＩ」＋「ＴＩＸ」の音節を構成していることから、本件商標に接した取引者や需要者は、分離抽出した本件商標中の「ＣＩＴＩＸ」を「シティックス」と一連に称呼して、一体不可分に把握・認識するとみるのが自然である。
　よって、引用商標「Ｃｉｔｉｃａｒｄ」と「ＣＩＴＩＸ ＣＡＲＤ」の外観上の差異が、単に「Ｘ」の有無にすぎず、「Ｘ」は見過ごされる可能性が高いから類似するという請求人の主張は、商取引の実情を無視した速断にすぎないものといえる。
　結局、本件商標は、外観上はもとより、称呼上も観念上も「Ｃｉｔｉｃａｒｄ」とは非類似といえる。
（４）以上より、本件商標は、商標法第４条第１項第１１号には該当しない。
７　以上に述べてきたように、本件商標は、商標法第４条第１項第１０号、同第１５号、同第８号、同第１９号及び同第１１号に該当するものではない。
　
第４　当審の判断
１　請求人及び請求人が使用している標章「ＣＩＴＩ」、「Ｃｉｔｉ」、「Ｃｉｔｉ」（別掲２）の周知・著名性について
　請求人の主張の全趣旨及び甲第３号証ないし甲第１０８号証によれば、次の事実が認められる。
（１）請求人について
　請求人は、米国内で１８１２年に設立されて以来１９７年の歴史を持ち、日本及びアジア各国でも１００年以上の歴史を持つ、米国大手銀行「Ｃｉｔｉｂａｎｋ　Ｎ．Ａ．」（以下「Ｃｉｔｉｂａｎｋ」という。）の持株会社である（甲第３号証、甲第２９号証）。
　１９９２年にはＣｉｔｉｂａｎｋは米国最大の銀行となり、１９９３年にクレジットカード・チャージカードの発行数が世界第１位になり、１９９６年にはアジアでの発行数も第１位になった（甲第３号証）。
　請求人は、本件商標が登録出願された２００３年には既に世界１００か国・地域において支社・支店・営業所を所有していた（甲第４号証）。
　請求人の２００４年度の収益は８６２億ドルになり、総資産は１兆５０００億ドルに達した（甲第１４号証）。
　請求人は、２００６年のフォーブス誌による世界の有力企業番付で１位になった（甲第１５号証）。
　そして、Ｃｉｔｉｂａｎｋは、日本において１９０２年に最初に横浜支店を開設し、１９９２年には、店舗数は１２店舗、従業員は関連関係を含めて１，４００人、関連会社は７社という規模を有し（甲第２３号証）、１９９７年３月末の在日支店の資産は２兆５７１０億８７００万円、利益は５３億６４００万円、預金総額は９３０４億円であった（甲第２７号証）。
　２００１年度のＣｉｔｉｂａｎｋは、支店が２２店舗、従業者数が１，３２１名、等である（甲第８号証）。
　在日支店の経常利益は、１９９９年３月期が約１７５億円、２０００年３月期が約１４０億円、２００１年３月期が約１４３億円、２００２年３月期が約３４９億円であった（甲第５号証ないし甲第８号証）。
（２）請求人が使用している標章「ＣＩＴＩ」、「Ｃｉｔｉ」、「Ｃｉｔｉ」（別掲２）の使用実績について
　請求人が提出した甲第３号証、甲第４号証、甲第２７号証、甲第３６号証、甲第４０号証ないし甲第４３号証には「ＣＩＴＩ」、「Ｃｉｔｉ」の表示があり、請求人及び請求人と関連する会社が金融業務等及びこれらに関連する役務に使用していることが認められる。
　同じく、甲各号証には、請求人及びＣｉｔｉｂａｎｋのホームページ、年次報告書、パンフレットや、新聞記事、新聞広告、書籍等において、Ｃｉｔｉｂａｎｋの業務に係る役務を表示する標章として、又は請求人及びＣｉｔｉｂａｎｋの略称を表示するものとして「ＣＩＴＩ」、「Ｃｉｔｉ」、「Ｃｉｔｉ」（別掲２）が使用されている例が多数認められる。
（３）請求人及びＣｉｔｉｂａｎｋの使用している標章「ＣＩＴＩ」、「Ｃｉｔｉ」、「Ｃｉｔｉ」（別掲２）の著名性について
　前記で認定した事実によれば、本件商標の登録出願日である平成１５年（２００３年）１０月６日の時点において「ＣＩＴＩ」、「Ｃｉｔｉ」は、我が国を含む世界各国において金融業務及びこれらに関連する役務に係る取引者・需要者の間（預金等は一般消費者も利用するから広範の間）で、既に請求人及びＣｉｔｉｂａｎｋの著名な略称として認識され、その状況は本件商標の登録査定時（平成１６年（２００４年）４月２０日）においても継続していたものと認めることができる。
　また、Ｃｉｔｉｂａｎｋの使用している標章「ＣＩＴＩ」、「Ｃｉｔｉ」、「Ｃｉｔｉ」（別掲２）は、本件商標の登録出願日である平成１５年（２００３年）１０月６日の時点において、我が国を含む世界各国において金融業務及びこれらに関連する役務に係る取引者、需要者の間で、既にＣｉｔｉｂａｎｋの業務に係る役務を表示する商標として、広く認識されていたものということができ、その著名性は、本件商標の登録査定時（平成１６年（２００４年）４月２０日）においても継続していたものと認めることができる。
２　商標法第４条第１項第８号について
　本件商標は、別掲１のとおり、二重線による傾斜させた書体で表された「ＣＩＴＩＸ　ＣＡＲＤ」の欧文字の上部にルビ的に「シティックスカード」と片仮名文字を表示してなるものであり、その構成態様から「ＣＩＴＩＸ　ＣＡＲＤ」の文字部分が独立して自他役務の識別標識としての機能を果たすものと判断するのが相当である。
　そして、「ＣＩＴＩ」、「Ｃｉｔｉ」が、本件商標の登録出願時及び登録査定時において、請求人及びＣｉｔｉｂａｎｋの著名な略称として、本件商標の指定役務の需要者を含めた我が国の国民の間で広く認識されていたものであることは、上記１（３）の認定のとおりである。
　また、「ＣＩＴＩ」、「Ｃｉｔｉ」の語が、「都市、都会」の意味をする平易な英語「ｃｉｔｙ」とは異なる特異な創造語であること、本件商標の「ＣＩＴＩＸ　ＣＡＲＤ」の文字部分は、看者の目を引く語頭から４文字が「ＣＩＴＩ」の文字であって特定の観念を有しない造語であることを合わせみれば、取引者、需要者は、本件商標の構成中「ＣＩＴＩＸ　ＣＡＲＤ」の文字中「ＣＩＴＩ」の文字部分に強く注意を引かれ、かつ、印象づけられ、これより請求人及びＣｉｔｉｂａｎｋを想起又は連想するものと判断するのが相当である。
　してみれば、本件商標は、請求人及びＣｉｔｉｂａｎｋの著名な略称「ＣＩＴＩ」を含む商標というべきであり、請求人等の承諾を得たものと認めることができないものである。
　したがって、本件商標は、商標法第４条第１項第８号に該当する。
３　商標法第４条第１項第１５号について 
　本件商標は、その構成中「ＣＩＴＩＸ　ＣＡＲＤ」の欧文字部分が独立して自他役務の識別標識としての機能を果たすこと上記２で、また、「ＣＩＴＩ」、「Ｃｉｔｉ」、「Ｃｉｔｉ」（別掲２）が、我が国を含む世界各国において金融業務及びこれらに関連する役務に係る取引者、需要者の間において、Ｃｉｔｉｂａｎｋの業務に係る役務を表示する商標として、広く認識されていたことは上記１（３）でそれぞれ認定したとおりである。
　また、Ｃｉｔｉｂａｎｋの関連会社においては、公的資金、公的年金、企業年金及びファンド・トラスト等の投資運用業務、特定金銭信託や有価証券信託などの受託業務、不動産業務を含む信託業務全般、証券業務、航空機リース業務、資産流動化・証券化にかかわるＳＰＣ（特別目的会社）のマネジメント業務、クレジットカード業務、投資信託、年金及びファンド・トラスト等の信託資産管理業務一般ならびに社債管理等の銀行業務、投資顧問業務、消費者金融（無担保ローン・不動産担保ローン）・事業者向け金融、投資銀行業務、セールス・トレーディング業務、リサーチ業務、変額個人年金保険の開発、販売、運用等の広範囲に業務を行っている（甲第１０号証）。
  そして、上述と同様に取引者、需要者は、本件商標の構成中「ＣＩＴＩＸ　ＣＡＲＤ」の文字中「ＣＩＴＩ」の文字部分に強く注意を引かれ、かつ、印象づけられ、これより請求人及びＣｉｔｉｂａｎｋを想起又は連想するものと判断するのが相当である。
　そうとすれば、本件商標は、これをその指定役務に使用するときは、これに接する取引者、需要者は、Ｃｉｔｉｂａｎｋの使用している著名な商標「ＣＩＴＩ」、「Ｃｉｔｉ」を想起、連想し、当該役務がＣｉｔｉｂａｎｋ、又はＣｉｔｉｂａｎｋと経済的又は組織的に何らかの関係を有する者の業務に係る役務であると誤信し、その役務の出所について混同を生じさせるおそれがあるといわなければならない。
　したがって、本件商標は、商標法第４条第１項第１５号に該当する。
４　商標法第４条第１項第８号及び同第１５号に関する被請求人の主張について
　被請求人は、「ＣＩＴＩＸ」を「ＣＩＴＩ」と「Ｘ」に分離観察すること自体に無理がある。むしろ、本件商標に接した取引者や需要者は「ＣＩＴＩＸ　ＣＡＲＤ」と一体不可分に看取するとみるのが自然である。したがって、仮に、請求人の主張するとおり「ＣＩＴＩ」が著名な略称であるとしても、本件商標「ＣＩＴＩＸ　ＣＡＲＤ」から「ＣＩＴＩ」の文字部分を独立して認識する特段の事情は何もない旨主張する。
　また、被請求人は、本件商標が、構成各文字は、外観上まとまりよく一体に表現されていて、片仮名表示部分が欧文字表示部分の読みを特定したものとみても不自然ではなく、しかも、全体をもって称呼してもよどみなく一連に称呼できるものである。そして、本件商標の構成中の「ＣＩＴＩ」の文字部分が商標「ＣＩＴＩ」と同一であるとしても、かかる構成においては、これに接した需要者・取引者が、請求人又は請求人の関連会社が使用する商標「ＣＩＴＩ」を直ちに連想・想起して、役務の出所について混同するものともいい難いところである旨主張する。
　さらに、被請求人は、仮に「ＣＩＴＩ」が著名な略称としても、「シティ」とのみ称呼されるともいい難いから、取引者や需要者間における浸透度は「ＣＩＴＩＢＡＮＫ」に比較すると低いものといわざるを得ない。しかも、本件商標は、一体不可分に看取されるものであって、「ＣＩＴＩ」の文字部分は全体に埋没している。そのため、請求人が主張する取引実情等を考慮したとしても、本件商標は、殊更に「ＣＩＴＩ」の文字部分のみを分離抽出して観察されるものではない旨主張する。
　しかしながら、上記認定のとおり、本件商標は、その構成中「ＣＩＴＩＸ　ＣＡＲＤ」の欧文字部分が独立して自他役務の識別標識としての機能を果たすこと、「ＣＩＴＩ」、「Ｃｉｔｉ」、「Ｃｉｔｉ」（別掲２）が、我が国を含む世界各国において金融業務及びこれらに関連する役務に係る取引者、需要者の間において、Ｃｉｔｉｂａｎｋの業務に係る役務を表示する商標として広く認識されていること、Ｃｉｔｉｂａｎｋの関連会社が広範囲に業務を行っていること、「ＣＩＴＩ」、「Ｃｉｔｉ」の語が、「都市、都会」の意味をする平易な英語「ｃｉｔｙ」とは異なる特異な創造語であること、及び本件商標の「ＣＩＴＩＸ　ＣＡＲＤ」の文字部分は、看者の目を引く語頭から４文字が「ＣＩＴＩ」の文字であって、特定の観念を有しない造語であることを合わせみれば、取引者、需要者は、本件商標の構成中「ＣＩＴＩＸ　ＣＡＲＤ」の文字中「ＣＩＴＩ」の文字部分に強く注意を引かれ、かつ、印象づけられ、これより請求人及びＣｉｔｉｂａｎｋを想起又は連想するものと判断するのが相当である。したがって、本件商標は、これをその指定役務に使用するときは、これに接する取引者、需要者は、Ｃｉｔｉｂａｎｋの使用している著名な標章「ＣＩＴＩ」、「Ｃｉｔｉ」を想起、連想し、当該役務がＣｉｔｉｂａｎｋ、又はＣｉｔｉｂａｎｋと経済的又は組織的に何らかの関係を有する者の業務に係る役務であると誤信し、その役務の出所について混同を生じさせるおそれがあるといわなければならない。
　よって、被請求人の上記主張は、いずれも採用することができない。
５　なお、本件商標が商標法第４条第１項第１１号に該当するか否かについて、以下、判断する。
　本件商標は、別掲１のとおり、二重線による傾斜させた書体で表された、「ＣＩＴＩＸ　ＣＡＲＤ」の欧文字の上部にルビ的に「シティックスカード」と片仮名文字を表示してなるものであり、その構成文字から「シティックスカード」の称呼を生じ、特定の観念を有しないものである。
　他方、請求人が引用する登録第３２６０５３６号商標は、「Ｃｉｔｉｃａｒｄ」の文字よりなるものであるから、構成文字に相応して「シティカード」の称呼を生じ、特定の観念を有しないものである。
　そこで、本件商標より生ずる「シティックスカード」の称呼と引用商標より生ずる「シティカード」の称呼を比較すると、両者は、その構成音数、構成音に明らかな差異を有するから、両者をそれぞれ一連に称呼しても、語調、語感が異なり相紛れるおそれのないものである。
　また、本件商標と引用商標は、いずれも特定の観念を有しないものであるから、観念上は比較できないものである。
　さらに、外観上においては、両商標の構成は、上記のとおりであり、その構成から明らかに区別し得るものである。また、本件商標の構成中、独立して自他役務の識別標識として機能を果たし得る「ＣＩＴＩＸ　ＣＡＲＤ」の文字部分と引用商標との比較においても、両者は、その書体に明らかな差異を有し、また、大文字と小文字、及び中間部における「Ｘ」の文字と一文字分のスペースの有無という明らかな差異を有しているから相紛れるおそれはないものである。
　そうとすれば、本件商標と引用商標とは、称呼、観念及び外観のいずれにおいても区別し得る類似しない商標というべきである。
　よって、本件商標は商標法第４条第１項第１１号に該当しない。
６　むすび
　以上のとおり、本件商標の登録は、商標法第４条第１項第８号及び同第１５号に違反してされたものというべきであるから、同法第４６条第１項の規定により無効とすべきものである。
　よって、結論のとおり審決する。